(57)【要約】【課題】微小鮮魚の鮮度を落とすことなく精度よく選別することのできる微小鮮魚選別装置を提供する。【解決手段】直径１０ｍｍ以上２５ｍｍ以下のパイプを、隣接するパイプ間の間隙が１．１ｍｍ以上４．０ｍｍ以下となるように円筒状に固定したスクリーンドラムを有する微小鮮魚選別装置。【選択図】図１
2016097366.tif 000002
【特許請求の範囲】
【請求項１】
直径１０ｍｍ以上２５ｍｍ以下のパイプを、隣接するパイプ間の間隙が１．１ｍｍ以上４．０ｍｍ以下となるように円筒状に固定したスクリーンドラムを有することを特徴とする微小鮮魚選別装置。
【請求項２】
前記スクリーンドラム外周面に環状の補強部材が固定されており、
前記補強部材は円周の内面に凸部を有する内歯車形状であり、前記凸部で前記パイプと固定されていることを特徴とする請求項１に記載の微小鮮魚選別装置。
【請求項３】
前記パイプが、隣接するパイプ間の間隙が一方から他方に向けて拡がるように配置されていることを特徴とする請求項１または２に記載の微小鮮魚選別装置。
【請求項４】
前記スクリーンドラム内部に螺旋送り板が配置されていることを特徴とする請求項１〜３のいずれかに記載の微小鮮魚選別装置。
【請求項５】
船上に搭載することを特徴とする請求項４に記載の微小鮮魚選別装置。
【発明の詳細な説明】
【技術分野】
【０００１】
本発明は、カタクチイワシ、マイワシ、ウルメイワシ、イカナゴの仔稚魚等の微小鮮魚の選別装置に関する。
【背景技術】
【０００２】
アジ、カツオ、サンマ等の大量に水揚げされる魚を、大きさ毎に素早く選別するために魚体自動選別装置が用いられている。魚体自動選別装置には、重さで選別するものと大きさで選別するものとがあり、大きさで選別する装置として、複数本のロールを、下方ほどロール間の間隙が広くなるように平板状に、またはドラム状に並べて配置し、小さい魚と大きな魚とで落下する位置を異ならせて選別する選別装置が知られている。特許文献１には、多数の回転ロールを間隙を持たせてドラム状に配設した回転ドラム体からなる選別ドラム部を有する魚類自動選別装置が提案されている。特許文献１に記載された魚類自動選別装置は、煮干しの原料として適した大きさのイワシを、大型のイワシや他の鮮魚から選別するものである。
【０００３】
上記したような体長がおよそ１５ｃｍ以上の魚を選別する魚体自動選別装置は知られているが、カタクチイワシ、マイワシ、ウルメイワシ、イカナゴの仔稚魚等の微小魚を、加工前の鮮魚の状態で選別する自動選別装置は知られていない。微小魚は傷むのが早いため、漁獲、港への移動、売買、水洗、加熱処理による加工までを数時間以内に終える必要がある。また、鮮度を維持するため、漁獲された微小魚は船上で素早く氷で締められる。微小魚の選別は加工前の鮮魚の状態で行うことはなく、加熱処理による加工後に人の手で行われている。
微小魚は、釜揚げしらす、ちりめんじゃこ、佃煮、釘煮等に加工される。ちりめん等に加工された後の乾燥している微小魚は機械による自動選別も可能ではあるが、乾燥後の魚体の形状は曲がってしまい不揃いであるため、機械で完全な選別を行うことは困難である。また、佃煮等に加工された微小魚は柔らかくベタついているため、機械による選別は困難である。そのため、微小魚の選別は加工後に最低限の範囲で人が行っている。
微小鮮魚は籠単位で売買されるが、食感、味わいに優れた小さな魚体の籠ほど高値で取引される。また、人の手による選別は、作業負担が大きく、コストがかかるため、選別する手間の少ない、魚体の大きさのバラつきの少ない籠も高値で取引されている。
【先行技術文献】
【特許文献】
【０００４】
【特許文献１】特開平１１−２７６９９４号公報
【発明の概要】
【発明が解決しようとする課題】
【０００５】
本発明は、微小魚の鮮度を落とすことなく精度よく選別することのできる微小鮮魚選別装置を提供する。
【課題を解決するための手段】
【０００６】
１．直径１０ｍｍ以上２５ｍｍ以下のパイプを、隣接するパイプ間の間隙が１．１ｍｍ以上４．０ｍｍ以下となるように円筒状に固定したスクリーンドラムを有することを特徴とする微小鮮魚選別装置。
２．前記スクリーンドラム外周面に環状の補強部材が固定されており、
前記補強部材は円周の内面に凸部を有する内歯車形状であり、前記凸部で前記パイプと固定されていることを特徴とする１．に記載の微小鮮魚選別装置。
３．前記パイプが、隣接するパイプ間の間隙が一方から他方に向けて拡がるように配置されていることを特徴とする１．または２．に記載の微小鮮魚選別装置。
４．前記スクリーンドラム内部に、螺旋送り板が配置されていることを特徴とする１．〜３．のいずれかに記載の微小鮮魚選別装置。
５．船上に搭載することを特徴とする４．に記載の微小鮮魚選別装置。
【発明の効果】
【０００７】
本発明の微小鮮魚選別装置により、魚体の柔らかな微小鮮魚を損傷させることなく効率よく選別することができる。本発明の微小鮮魚選別装置を用いると選別時に魚体が損傷しないため鮮度を維持することができる。スクリーンドラム外周面に環状の補強部材を設けると、大量の微小鮮魚を投入してもパイプが撓まないため、大量の鮮魚を一度に精度よく選別することができる。さらに、補強部材は内歯車形状であり、内歯車の凸部でパイプと固定されているため、補強部材に魚体が引っかからない。パイプ間の間隙を、一方から他方に向けて拡がるように配置すると、微小魚を数ミリの体長差で精度よく選別することができる。スクリーンドラム内部に螺旋送り板を設置することで、スクリーンドラム内に滞留する時間を制御できるため、選別精度を高めることができる。さらに、螺旋送り板を設置した微小鮮魚選別装置は、揺れる船上で選別を行うこともできる。船上に設置すると、漁獲して氷で締める前に選別すること、すなわち、活魚の状態で選別することができるため、鮮度の低下を防ぐことができる。また、加工後に人の手による選別が減らせるため、低労力・低コストとなる。さらに、港での売買の前に商品価値の高い小さな微小鮮魚を、精度よく選別することができるため、商品価値を高めることができる。
【図面の簡単な説明】
【０００８】
【図１】スクリーンドラムの断面図。
【図２】窪みの深さがそれぞれ鮮魚の体高の０．４倍（ａ）、０．８倍（ｂ）、１．６倍（ｃ）のときの模式図。
【図３】一部に凹部を設けたスクリーンドラムのパイプ部分の断面図。
【図４】補強部材とパイプとの接続部の拡大図。
【図５】連続的に細くなるパイプ。
【図６】段階的に細くなるパイプ。
【図７】テーパー状スクリーンドラムにおけるパイプ間の間隔を示す図。
【発明を実施するための形態】
【０００９】
本発明は、微小鮮魚を精度よく選別するものである。本発明において選別する微小鮮魚としては、体長２０ｍｍ以上６０ｍｍ以下のものをいう。例えば、「シラス」と総称される、カタクチイワシ、マイワシ、ウルメイワシ、イカナゴ、ウナギ、キビナゴ、アユ、ニシンなどの仔稚魚が挙げられる。また、鮮魚とは漁獲後まもない魚、活魚とは生きている魚のことを意味し、鮮魚には活魚も含まれる。
【００１０】
本発明の微小鮮魚選別装置は、直径１０ｍｍ以上２５ｍｍ以下のパイプを、隣接するパイプ間の間隙が１．１ｍｍ以上４．０ｍｍ以下となるように円筒状に固定したスクリーンドラムを有することを特徴とする。
【００１１】
本発明の微小鮮魚選別装置で用いられるスクリーンドラム１の一実施態様の断面図を図１に示す。スクリーンドラム１は、複数本のパイプ２が、円筒状に固定されて形成されており、一端を投入部３、他端を排出部４とする。スクリーンドラム１は、その円筒軸上に駆動軸５を有し、スクリーンドラム内部で駆動軸５から延びる棒部材（図示せず）により駆動軸５と接続されている。駆動軸５は図示しない駆動装置に接続されており、駆動軸５が回転することで、スクリーンドラム１が回転する。駆動軸５には周期が１周期である３枚の螺旋送り板６が固定されており、螺旋送り板６の外周はパイプ２と接触している。なお、図１において、螺旋送り板６は断面図ではなく平面図で示される。投入部３には、投入した微小鮮魚がこぼれて落下するのを防止するための環状の落下防止板７が設けられている。また、スクリーンドラムの外周面にはパイプが撓まないように環状の補強部材８が設けられている。なお、図１に示した実施態様は一例であり、本発明のスクリーンドラムの形態はこれに限定されるものではない。例えば、棒部材を省いてもよく、螺旋送り板とパイプとの間には間隔を明けてもよく、駆動軸を省きスクリーンドラム外部に歯を形成して歯車により回転させてもよい。
【００１２】
微小鮮魚を投入部からスクリーンドラム内に投入し、スクリーンドラムを回転させると、パイプ間の間隙を通過することのできる大きさの微小鮮魚のみがスクリーンドラムから落下することにより選別される。落下できない大きさの鮮魚や異物は、徐々に押し出されて、排出部より排出される。投入部には落下防止板が設けられているため、投入部からの落下を防ぐことができる。落下防止板のスクリーンドラム内面からの高さは３ｃｍ以上１０ｃｍ以下であることが好ましい。３ｃｍ以上であれば、活魚が飛び跳ねて落下することを防ぐことができる。
【００１３】
隣接するパイプ間の間隙を１．１ｍｍ以上４．０ｍｍ以下とすることで、商品価値の高い微小鮮魚のみを選別することができる。パイプ間の間隙が１．１ｍｍより小さいと、商品価値の高い小さな微小鮮魚がスクリーンドラムから落下しない。パイプ間の間隙が４．０ｍｍより大きいと、大きな鮮魚が混入して商品価値が低下してしまう。隣接するパイプ間の間隙は、１．３ｍｍ以上３．５ｍｍ以下であることがより好ましい。
【００１４】
本発明は、直径１０ｍｍ以上２５ｍｍ以下のパイプが固定されてスクリーンドラムを形成することを特徴とする。従来の隣接する回転ロール間の間隙を利用した鮮魚の選別装置では、隣接する回転ロール間に形成される窪みに鮮魚が嵌まり、ロールの回転により移動して適切な位置で落下することで選別される。そのため、窪みの深さは鮮魚の体高の０．５倍以上１倍以下程度が好ましいとされていた。図２に、窪みの深さがそれぞれ鮮魚の体高の０．４倍（ａ）、０．８倍（ｂ）、１．６倍（ｃ）のときの模式図を示す。隣接するロール間に形成される窪みが浅いと鮮魚が窪みに嵌らず、窪みが深いと鮮魚が窪みに深く挟まってスムーズに移動しない。なお、隣接するロール間で形成される窪みの深さはロールの半径に等しい。
この従来の知見に基づくと、体長２０ｍｍ以上６０ｍｍ以下の微小鮮魚を選別するためには、直径４〜８ｍｍのパイプが適当であるが、直径４〜８ｍｍのパイプでは、微小鮮魚を選別することができない。
【００１５】
従来の選別装置では、鮮魚はロールの窪みに嵌まり、ロールの回転により窪みの中を滑って移動する。しかし、本発明の微小鮮魚選別装置で選別する微小鮮魚は、魚体が柔らかいため、直径４〜８ｍｍのパイプ間の浅い窪みに嵌まりにくく、パイプの径方向に横たわりやすい。また、微小鮮魚の魚体は粘液に覆われており、パイプの径方向に横たわった微小鮮魚はパイプに密着する。そのため、直径４〜８ｍｍのパイプで作成したスクリーンドラムで選別を行うと、パイプの径方向に横たわった微小鮮魚は、パイプに密着したまま径方向にずれてパイプ間の間隙から落下する。ここで、魚は尾部が細く頭部が太いため、尾部のみがパイプ間の間隙を通過して頭部が引っかかってしまう個体が存在する。頭部が引っかかった微小鮮魚はパイプ間を通過できずにパイプに絡まりパイプ間の間隙を埋めてしまうため、スクリーンドラム内部の微小鮮魚が落下できなくなり選別が行えなくなる。
【００１６】
パイプの直径が１０ｍｍ以上２５ｍｍ以下であると、隣接するパイプ間に形成される窪みが深くなり、微小鮮魚がパイプ間の窪みに嵌まりやすくなるため、選別を効率よく行うことができる。また、微小鮮魚の体表は粘液で覆われているため、スクリーンドラム内に微小鮮魚を投入し、スクリーンドラムを回転すると、微小鮮魚が粘液でくっついて塊になることがあるが、パイプの直径が１０ｍｍ以上２５ｍｍ以下であると、スクリーンドラム内面に形成される凹凸が大きくなるため、微小鮮魚の塊をほぐすことができる。パイプの直径が２５ｍｍより大きいと、隣接するパイプ間の窪みが深くなり、隣接するパイプが微小鮮魚を挟み込む角度が狭くなりすぎる。そのため、隣接するパイプに微小鮮魚が挟まれて身動きが取れなくなり、パイプ間の間隙を埋めてしまい選別ができなくなる。パイプの直径は１２ｍｍ以上２３ｍｍ以下であることがより好ましく、１３ｍｍ以上１９ｍｍ以下であることがさらに好ましい。
【００１７】
本発明で使用するパイプは、錆びにくい材料であれば特に制限することなく用いることができ、ステンレス、チタン、樹脂、樹脂コーティング鋼材等を用いることができる。これらの中でステンレスが強度、加工性、耐久性の点から好ましい。ステンレスは、Ｎｏ．２Ｂ以上の光沢を有するものが、微小鮮魚がスムーズに滑って移動することができるため好ましい。
【００１８】
従来の魚体選別装置はロールが回転することで魚体の移動をスムーズにして選別効率を高めていたが、本発明のスクリーンドラムを形成するパイプは固定されていて回転しない。微小鮮魚の魚体は非常に柔らかく折れ曲がりやすいため、パイプが回転すると、パイプ間に挟まれて折れ曲がった微小鮮魚が押し潰されるようにしてパイプ間の間隙を通過してしまう。また、尾部のみが通過し頭部が通過できずに引っかかった個体も、頭部が押し潰されてパイプ間の間隙を通過してしまう。微小鮮魚はそもそも傷むのが早いが、損傷した魚体が混入するとさらに傷むのが早くなってしまう。本発明の微小鮮魚選別装置はパイプが固定されて回転しないため、損傷した魚体が混入するのを防ぐことができる。
【００１９】
本発明の円筒状であるスクリーンドラムは略円筒状であればよく、楕円筒や一部に凹部を有する円筒であってもよい。楕円筒であれば、長径と短径との比は、１．２以下であることが好ましい。また、スクリーンドラムの一部に凹部を設けると、スクリーンドラムの回転時に微小鮮魚の塊が凹部（ドラム内面の凸部）で浮き上がり、パイプに叩きつけられることで塊をほぐすことができる。一部に凹部を設けたスクリーンドラムのパイプ部分の断面図を図３に示す。
スクリーンドラムの直径は２０ｃｍ以上９０ｃｍ以下であることが好ましい。直径が２０ｃｍ未満では、一度に投入できる量が少ないため選別に時間がかかる。直径が９０ｃｍより大きいと、装置が大型になりすぎる。ここで、本発明において、スクリーンドラムの直径とは、スクリーンドラムを構成するパイプの重心を頂点とする多角形に外接する円の直径をいう。また、スクリーンドラムの長さは、６０ｃｍ以上２５０ｃｍ以下であることが好ましい。長さが６０ｃｍ未満では、一度に投入できる量が少ないため選別に時間がかかる。長さが２５０ｃｍより大きいと、装置が大型になりすぎる。
【００２０】
スクリーンドラムに大量の微小鮮魚を投入すると、その重みでパイプが撓むことがある。パイプが撓むと、パイプ間の間隔が広がるため、選別精度が低下してしまう。そのため、スクリーンドラム外周面に、微小鮮魚投入時にその重さでパイプが撓まないように補強部材を設けることが好ましい。補強部材の形状は特に制限されないが、円周の内面に凸部を有する内歯車形状とすることが好ましい。図４に、内歯車形状の補強部材とパイプとの部分拡大図を示す。補強部材を内歯車形状とし、凸部の頂部でパイプと固定することで、スクリーンドラムから一部が飛び出した微小鮮魚は、補強部材に引っかからずにパイプ間を滑って排出部から排出される。
【００２１】
また、スクリーンドラムを形成するパイプ間の間隙が一方から他方に向けて拡がるようにし、パイプ間の間隙の狭い方を投入部、パイプ間の間隙の広い方を排出部とすることで、投入した微小鮮魚が小さいものから順に落下して、一つのスクリーンドラムで魚体の大きさに応じて複数区分に選別することができる。パイプ間の間隙は、狭い側で１．１ｍｍ以上、広い側で４．０ｍｍ以下であればよい。
【００２２】
パイプ間の間隙を一方から他方に向けて拡がらせるには、前記一方から他方に向けて直径が細くなるパイプを用いればよい。パイプの直径は、連続的に細くなってもよく、段階的に細くなってもよい。図５に連続的に細くなるパイプ、図６に段階的に細くなるパイプを示す。
また、スクリーンドラムがテーパー状となるようにパイプを傾斜して配置することでパイプ間の間隙を調整することもできる。図７に示すように、テーパー状スクリーンドラムの径が細い側でパイプ間の間隙が狭くなり、スクリーンドラムの径が太い側でパイプ間の間隙が広くなる。図４、５に記載の直径が変化するパイプと異なり、直径が均一であるパイプを利用することができるため低コストである。スクリーンドラムがテーパー状のとき、スクリーンドラムの細い側の直径が２０ｃｍ以上、太い側の直径が９０ｃｍ以下であればよい。
【００２３】
また、スクリーンドラムの下方に、可動仕切板を配置することで、選別精度を高めることができる。可動仕切板は、微小鮮魚がスクリーンドラムから落下する位置に応じて異なる籠等に分別するものであり、スクリーンドラムの軸方向に移動する。また、その傾斜角度が調整できることが好ましい。
漁期の初期には魚体は小さいが、漁期の終期には成長して魚体が大きくなる。漁獲される微小魚の魚体の大きさに応じて、可動仕切板の位置を調整することで商品価値の高い小さな微小鮮魚の選別漏れを減らすことができる。
【００２４】
スクリーンドラムの下側側面を、水平方向から０．３度以上５度以下傾斜させると、パイプ間の間隙を通過できなかった大きな魚体等が徐々に下方にずれ落ちて自動的に排出部から排出されるので好ましい。傾斜角度が０．３度より小さいと大きな魚体等がずれ落ちて排出されるのが遅く、傾斜角度が５度より大きいと選別される前に排出される微小鮮魚が増えてしまう。スクリーンドラム下側側面の傾斜角度は、スクリーンドラムの中心軸、パイプの傾斜角度のいずれか、または両方で調整することができる。
【００２５】
スクリーンドラム内部に螺旋送り板を設けることで、微小鮮魚がスクリーンドラムに滞留する時間を制御することができる。螺旋送り板は、スクリーンドラム内部に一枚、または複数枚設けることができる。螺旋送り板は、スクリーンドラムを形成するパイプと接触していてもよく、１０ｍｍ以下の間隙を形成してもよい。螺旋送り板とパイプとの間に間隙を有することで、間隙を通過できる微小鮮魚を素早く選別することができる。また、微小鮮魚が塊となっても、その一部が間隙を通過することで塊を小さくすることができる。
【００２６】
一枚または複数枚の螺旋送り板は全体としてその周期が１．５周期以上２０周期以下であることが好ましい。１．５周期以下では、微小鮮魚が排出部に到達するのが早すぎて選別精度が低下する。２０周期以上では、微小鮮魚のスクリーンドラム滞留時間が長くなりすぎて鮮度が低下する。周期は３周期以上１５周期以下であることが好ましく、６周期以上１２周期以下であることがより好ましい。
螺旋送り板の螺旋ピッチは、５０ｍｍ以上１５０ｍｍ以下であることが好ましい。螺旋ピッチが５０ｍｍより短いと、一度に選別できる量が少なくなる。螺旋ピッチが１５０ｍｍより長いと、スクリーンドラムが大型化してしまう。
【００２７】
一枚の螺旋送り板を設けた際は、螺旋送り板のピッチは均一であってもよいが、変化させることもできる。また、複数枚の螺旋送り板を設けた際には、螺旋送り板一枚あたりの周期は１周期以上あることが好ましく、１．５周期以上あることがより好ましい。さらに、複数枚の螺旋送り板のそれぞれは、周期、ピッチのいずれか、または両方が異なっていてもよい。例えば、スクリーンドラム排出部側のピッチを、投入部側より長くすることよにより、商品価値の高い微小鮮魚を選別した後の、商品価値の低い鮮魚や異物を素早く排出することができる。
【００２８】
選別時にスクリーンドラムに向けて海水を放出してもよい。スクリーンドラムに海水を放出することで、微小鮮魚の乾燥と、それに伴う塊の形成を防ぐことができる。さらに、魚体の滑りが向上するため、パイプ間に微小鮮魚が挟まりにくくなり、挟まった微小鮮魚も排出部まで滑らせて排出することができる。
海水は、スクリーンドラムの内部に放出してもよく、外周面に浴びせるように放出してもよい。スクリーンドラム内部に海水を放出するには、壁面に貫通孔を設けた中空パイプ、ホース、あるいはシャワーをスクリーンドラム内部に設け、これらに海水を送り込み、海水を放出すればよい。中空パイプから海水を放出する際は、中空パイプは駆動軸を兼ねることもできる。スクリーンドラム外周面に海水を浴びせるには、スクリーンドラムの上方、下方、側面の少なくとも一箇所に、壁面に貫通孔を設けた中空パイプ、ホース、あるいはシャワーを設け、海水を放出すればよい。スクリーンドラム外周面から海水を放出することで、パイプ間に挟まった微小鮮魚をスクリーンドラム内部に押し戻すことができる。
【００２９】
さらに、螺旋送り板を設けることで、本発明の微小鮮魚選別装置を船上に設置することができる。船上に螺旋送り板を有さない微小鮮魚選別装置を設置して選別を行うと、船が大きく傾いた際にスクリーンドラム内の微小鮮魚が選別される前に排出部から排出されてしまう。螺旋送り板を設けることで、船の揺れにより選別前に微小鮮魚が排出されることを防ぐことができる。また、パイプ間の間隙が一方から他方に向けて拡がっているスクリーンドラム内に配置すると、小さな微小鮮魚が落下すべき箇所から、より下流の大きな微小鮮魚が落下する箇所まで移動するのを防ぐことができ、選別精度を維持することができる。
【００３０】
通常、漁獲された微小魚は、鮮度を維持するために船上で氷締めされるが、船上で選別を行うことで、漁獲した直後に活魚のまま選別を終えることができる。漁港に設置した本発明の微小鮮魚選別装置を用いることで、氷で締めた状態の鮮魚を港に水揚げした直後に素早く選別することもできるが、船上で活魚のまま選別することで、より鮮度を保つことができる。微小鮮魚選別装置を船上に設置する際は、スクリーンドラムの直径は２０ｃｍ以上６０ｃｍ以下、長さは６５ｃｍ以上１５０ｃｍ未満であることが好ましい。この大きさであれば船上に設置することができる。また、船に搭載されたバッテリー電圧は１２Ｖ、または２４Ｖが一般的であるため、この電圧で駆動する駆動装置を用いればよい。
【００３１】
本発明の微小鮮魚選別装置で選別された微小鮮魚は、鮮度が維持されており、また、魚体の大きさのバラつきが小さいため、高値で取引される。さらに、加工後に、人の手による選別を軽減することができるので、作業負担、及びコストを大幅に減らすことができる。
【００３２】
次に、本発明を実施例に基づいて、さらに具体的に説明するが、本発明はこれらのみに限定されるものではない。
【実施例】
【００３３】
直径１６ｍｍ、長さ１２００ｍｍのパイプ（ステンレス製、＃４００）を７２本、隣接するパイプ間の間隙が投入部で２ｍｍ、排出部で３ｍｍとなるように、円筒状に固定してスクリーンドラムを作製した。スクリーンドラムの投入部での直径は４１３ｍｍ、排出部での直径は４３６ｍｍであり、スクリーンドラムの下側側面の傾斜角度は水平方向から０．５５度であった。
スクリーンドラムの投入部には、内径３６０ｍｍ、外径４２１ｍｍの環状の落下防止板を設け、スクリーンドラム外周面には、投入部から６００ｍｍと１１００ｍｍの位置に、内歯車形状の補強部材を設け、歯車頂部でパイプと溶接して、補強部材とパイプとを固定した。
【００３４】
スクリーンドラム内部には、壁面に貫通孔を設けた中空パイプから形成した駆動軸を設け、スクリーンドラムと駆動軸とを直径１２ｍｍのパイプを棒部材として固定した。駆動軸は、中空パイプ内部に海水を放出できるようにポンプと接続した。貫通孔（孔径：２ｍｍ）は、投入部から５０ｍｍの位置から軸長さ方向１００ｍｍ毎に１０箇所、径方向９０度毎に４箇所の計４０箇所（１０×４）設けた。
投入部から１００ｍｍの位置から１８０ｍｍ毎に、周期１．５周、ピッチ８５ｍｍの螺旋の送り板を計６枚駆動軸に固定した。螺旋送り板はすべてパイプに接するようにした。
【００３５】
「実施例１」
スクリーンドラム内部に、体長２５ｍｍ〜９０ｍｍのイカナゴの仔稚魚を鮮魚の状態で１０ｋｇ投入した。スクリーンドラムは毎分２０回転となるように回転させた。駆動軸の貫通孔から海水は放出しなかった。
スクリーンドラムからは、体長２５ｍｍ〜４５ｍｍの仔稚魚が５．８ｋｇ落下し、特定の大きさの微小鮮魚だけを効率よく選別することができた。排出部からは、体長が４５ｍｍより大きな仔稚魚とともに、少量の体長２５〜４５ｍｍの仔稚魚が排出された。スクリーンドラムから落下して選別された微小鮮魚は損傷していなかった。選別終了後のスクリーンドラムのパイプ間には微小鮮魚が挟まっていたが、パイプ間の間隙が埋まり選別が行えなくなるほどではなかった。
【００３６】
「実施例２」
駆動軸の貫通孔から海水を放出した以外は、実施例１と同様にして、微小鮮魚の選別を行った。
スクリーンドラムからは、体長２５ｍｍ〜４５ｍｍの仔稚魚が計７．９ｋｇ落下し、特定の大きさの微小鮮魚だけを効率よく選別することができた。排出部から排出された仔稚魚の体長は４５ｍｍより大きく、体長２５〜４５ｍｍの仔稚魚はほとんど含まれていなかった。仔稚魚は排出部から排出され、スクリーンドラムから落下して選別された微小鮮魚は損傷していなかった。選別終了後のスクリーンドラムのパイプ間には微小鮮魚が挟まっていたが、その量は実施例１よりも少なかった。
【００３７】
「比較例１」
直径８ｍｍのパイプを１２４本用いた以外は、実施例１と同様に、隣接するパイプ間の間隙が投入部で２ｍｍ、排出部で３ｍｍ、投入部の直径は３９８ｍｍ、排出部の直径は４３６ｍｍであるスクリーンドラムを作成した。
実施例２と同様にして、駆動軸の貫通孔から海水を放出しながら微小鮮魚の選別を行った。
スクリーンドラムからは、２５〜４５ｍｍの仔稚魚が計２．４ｋｇ落下し、多くの仔稚魚は排出部から排出された。排出された仔稚魚には、体長２５〜４５ｍｍの仔稚魚も多く含まれていた。
選別終了後のスクリーンドラムのパイプ間の間隙は、尾部のみがパイプ間を通過し頭部がパイプ間に挟まれパイプに絡まった微小鮮魚により埋められていた。パイプ間に詰まった微小鮮魚はすぐに腐敗してしまうため取り除く必要があるが、パイプに絡まった微小魚を取り除くのは非常に手間であった。
【符号の説明】
【００３８】
１  スクリーンドラム
２  パイプ
３  投入部
４  排出部
５  駆動軸
６  螺旋送り板
７  落下防止板
８  補強部材
【図１】
2016097366.tif 000003
【図２】
2016097366.tif 000004
【図３】
2016097366.tif 000005
【図４】
2016097366.tif 000006
【図５】
2016097366.tif 000007
【図６】
2016097366.tif 000008
【図７】
2016097366.tif 000009